(57)【要約】【課題】工作機械の工具交換装置において、タレット内部への切粉や切削液の侵入を防ぐカバーを持つ工具交換装置を提供すること。【解決手段】工具を保持するためのグリップが複数設けられたタレットを備え、タレットを旋回させて、所望の工具を割り出して工具交換を行う工具交換装置であって、タレットの正面を覆う正面カバーと、タレットの背面を覆う背面カバーと、正面カバーと背面カバーとの間の隙間の近傍に設けられた突起部とを備え、突起部によって、正面カバーの上面又は背面カバーの上面から、正面カバーと背面カバーとの間の隙間への経路を遮る。これにより、ワークを加工する際に発生する切粉や、加工時に用いる切削液が、正面カバーと背面カバーとの間の隙間からタレットの内部に侵入することを防止することが可能となる。【選択図】図１
2015066601.tif 000002
【特許請求の範囲】
【請求項１】
工具を保持するためのグリップが複数設けられたタレットを備え、
前記タレットを旋回させて、所望の工具を割り出して工具交換を行う工具交換装置であって、
前記タレットの正面を覆う正面カバーと、
前記タレットの背面を覆う背面カバーと、
前記正面カバーと前記背面カバーとの間の隙間の近傍に設けられた突起部と、を備え、
前記突起部によって、前記正面カバーの上面又は前記背面カバーの上面から、前記正面カバーと前記背面カバーとの間の前記隙間への経路を遮ることを特徴とする工具交換装置。
【発明の詳細な説明】
【技術分野】
【０００１】
本発明は、工具交換装置に関し、特にタレット内部への異物の侵入を防ぐカバーを持つ工具交換装置に関する。
【背景技術】
【０００２】
工作機械の主軸に取り付けられる工具を自動的に交換する工具交換装置が従来から用いられている。この工具交換装置には、作業に必要な複数の工具が予めセットされており、工作機械の主軸に取り付ける工具を、加工状態に応じて指定された工具に自動的に交換するように構成されている。
このような、工具を自動的に交換する自動工具交換装置を備えた工作機械として、特許文献１に開示されているような、工具を把持する複数のグリップを有するタレットを具備するものがある。
【先行技術文献】
【特許文献】
【０００３】
【特許文献１】特開２０１０−９９７６６号公報
【発明の概要】
【発明が解決しようとする課題】
【０００４】
特許文献１に開示されている技術は、複数の工具が装着されたタレットを有し、該タレットを割り出して主軸に装着された工具を交換するため、高速かつ的確に工具の交換を行うことができる。しかしながら、タレットにおいて、タレット前面側とタレットベースとの間は単に間を開けて結合しているのみであるため、加工中に発生する切粉や切削液が、タレットの内部に侵入するおそれがあった。
【０００５】
ワークを加工する際に、切粉や切削液がタレットの内部に侵入することを防止するため、タレットにカバーを設けることがある。図３は、従来技術のカバーを持つ工作機械の概略側面図であり、１は工作機械、２は自動工具交換装置である。自動工具交換装置２は、主軸３と、主軸３を駆動する主軸モータ５を備えており、主軸３の先端部に工具４が取り付けられている。また、主軸３にはＺ軸ボールネジ１０を介してＺ軸モータ１１が接続されており、Ｚ軸モータ１１により主軸３は上下に駆動可能とされている。さらに、工具４を交換するための部材としてタレット６を具備している。
【０００６】
タレット６は、タレット６の内部の図示しない構造部に影響を及ぼさないように、正面カバー６１と背面カバー６２を設けており、正面カバー６１は、タレット６の正面からの切粉や切削液の侵入を防ぐ役割を果たしており、背面カバー６２は、背面からの切粉や切削液の侵入を防ぐ役割を果たしている。
【０００７】
ここで、背面カバー６２の形状によっては、その円筒状部６４の上側（部位Ａ）に切粉や切削液がたまりやすくなってしまうことがある。そして、工具４の交換をする際には、Ｚ軸モータ１１によって主軸３を上下に駆動することになるが、その際に主軸３にはカム７が設けられているため、主軸３を上下に移動する際に、カム７に従うカムフォロア８によりタレット６は揺動動作が行われ、この揺動動作の際に、背面カバー６２の円筒状部６４の上側（部位Ａ）にたまった切粉や切削液が、経路Ｂとして示されたように、正面カバー６１と背面カバー６２との間の隙間６５からタレット６の内部に侵入してしまい、タレット６の内部の構造部に悪影響を及ぼすおそれがある。
【０００８】
そこで本発明は、工作機械の工具交換装置において、タレット内部への切粉や切削液の侵入を防ぐカバーを持つ工具交換装置を提供することを目的とする。
【課題を解決するための手段】
【０００９】
本願の請求項１に係る発明では、工具を保持するためのグリップが複数設けられたタレットを備え、前記タレットを旋回させて、所望の工具を割り出して工具交換を行う工具交換装置であって、前記タレットの正面を覆う正面カバーと、前記タレットの背面を覆う背面カバーと、前記正面カバーと前記背面カバーとの間の隙間の近傍に設けられた突起部と、を備え、前記突起部によって、前記正面カバーの上面又は前記背面カバーの上面から、前記正面カバーと前記背面カバーとの間の前記隙間への経路を遮ることを特徴とする工具交換装置が提供される。
【００１０】
請求項１に係る発明では、ワークを加工する際に発生する切粉や、加工時に用いる切削液が、正面カバーと背面カバーとの間の隙間からタレットの内部に侵入することを防止することが可能となる。
【発明の効果】
【００１１】
本発明により、工作機械の工具交換装置において、タレット内部への切粉や切削液の侵入を防ぐカバーを持つ工具交換装置を提供することができる。
【図面の簡単な説明】
【００１２】
【図１】第１の実施形態のカバーを持つ工作機械の概略側面図である。
【図２】第２の実施形態のカバーを持つ工作機械の概略側面図である。
【図３】従来技術のカバーを持つ工作機械の概略側面図である。
【００１３】
（第１の実施形態）
以下、図面に基づいて本発明の実施形態について説明する。
図１は、本実施形態の工作機械の概略側面図である。図３に示された従来技術との相違点は、背面カバー６２の上側半分における位置の、正面カバー６１に対向する位置に突起部６６を設けた点である。この突起部６６を設けることにより、背面カバー６２の円筒状部６４と突起部６６とにより、Ｖ型溝６８が形成されている。これにより、ワークを加工する際に発生する切粉や、ワークを加工する際に用いる切削液が、正面カバー６１と背面カバー６２との間に形成された隙間６５からタレット６の内部に侵入することを防止することができる。
【００１４】
また、工具４を交換する際に、Ｚ軸モータ１１により主軸３は上下に動くように駆動されている。その際に、主軸３にカム７を設けているため、主軸３を上下移動する際に、カム７に従うカムフォロワ８により、タレット６は揺動動作が行われる。この揺動動作により、背面カバー６２の円筒状部６４の上側に堆積した切粉は、Ｖ型溝６８に沿ってタレット６の外部に落とされる。また、背面カバー６２の円筒状部６４の上側に溜まった切削液もタレット６の内部に侵入せず、Ｖ型溝６８に沿ってタレット６の外部に落とされる。これにより、タレット６の内部に切粉や切削液が侵入せず、タレット６内部の図示しない構造部へ影響を与えることを防止できる。
【００１５】
本実施形態においては、背面カバー６２の上側半分において、正面カバー６１と対向する位置に突起部６６を設けているが、突起部６６を設ける位置としては、背面カバー６２の上側半分に限定されず、背面カバー６２の全周にわたって設けるようにすることもできる。また、背面カバー６２に設ける代わりに正面カバー６１の背面カバー６２に対向する側に突起部６６を設けるようにすることもできるし、正面カバー６１、背面カバー６２とは別個に突起部６６を設けるようにすることもできる。
【００１６】
（第２の実施形態）
図２は、本実施形態の工作機械の概略側面図である。本実施形態においては、突起部の形状が、斜め突起部６７となっている点が第１の実施形態と異なっている。本実施形態においては、背面カバー６２の全周において、正面カバー６１と対向する側に斜め突起部６７を設けている。この斜め突起部６７を設けることにより、背面カバー６２の円筒状部６４と斜め突起部６７とにより、Ｖ型溝６８が形成されている。これにより、ワークを加工する際に発生する切粉や、ワークを加工する際に用いる切削液が、正面カバー６１と背面カバー６２との間に形成された隙間６５からタレット６の内部に侵入することを防止することができる。
【００１７】
また、工具４を交換する際に、Ｚ軸モータ１１により主軸３は上下に動くように駆動されている。その際に、主軸３にカム７を設けているため、主軸３を上下移動する際に、カム７に従うカムフォロワ８により、タレット６は揺動動作が行われる。この揺動動作により、背面カバー６２の円筒状部６４の上側に堆積した切粉は、Ｖ型溝６８に沿ってタレット６の外部に落とされる。また、背面カバー６２の円筒状部６４の上側に溜まった切削液もタレット６の内部に侵入せず、Ｖ型溝６８に沿ってタレット６の外部に落とされる。これにより、タレット６の内部に切粉や切削液が侵入せず、タレット６内部の図示しない構造部へ影響を与えることを防止できる。
【００１８】
本実施形態においては、背面カバー６２の全周にわたって、正面カバー６１と対向する位置に斜め突起部６７を設けているが、斜め突起部６７を設ける位置としては、背面カバー６２の全周に限定されず、例えば背面カバー６２の上部のみに設けるようにすることもできる。また、背面カバー６２に設ける代わりに正面カバー６１の背面カバー６２に対向する側に斜め突起部６７を設けるようにすることもできし、正面カバー６１、背面カバー６２とは別個に斜め突起部６７を設けるようにすることもできる。
【符号の説明】
【００１９】
１    工作機械
２    自動工具交換装置
３    主軸
４    工具
５    主軸モータ
６    タレット
６１  正面カバー
６２  背面カバー
６３  工具交換位置
６４  （背面カバーの）円筒状部
６５  隙間
６６  突起部
６７  斜め突起部
６８  Ｖ型溝
７    カム
８    カムフォロワ
９    タレットアーム
１０  Ｚ軸ボールネジ
１１  Ｚ軸モータ
【図１】
2015066601.tif 000003
【図２】
2015066601.tif 000004
【図３】
2015066601.tif 000005
【手続補正書】
【提出日】平成26年12月26日(2014.12.26)
【手続補正１】
【補正対象書類名】明細書
【補正対象項目名】０００９
【補正方法】変更
【補正の内容】
【０００９】
本願の請求項１に係る発明では、工具を保持するためのグリップが複数設けられたタレットを備え、前記タレットを旋回させて、所望の工具を割り出して工作機械の主軸に装着された工具の交換を行う工作機械の工具交換装置であって、前記タレットの前記工作機械の主軸と対向しない側の面を覆う主軸反対側カバーと、前記タレットの前記工作機械の主軸と対向する側の面を覆う主軸側カバーと、を備え、所定位置において、前記主軸反対側カバーと前記主軸側カバーは、隙間を空けて、いずれかが高い位置となるように構成されており、前記所定位置において、前記主軸反対側カバーと前記主軸側カバーのいずれか高い位置となるカバーの前記所定位置における上面と前記隙間との間に突起部を設けることを特徴とする工具交換装置が提供される。
【手続補正２】
【補正対象書類名】明細書
【補正対象項目名】００１０
【補正方法】変更
【補正の内容】
【００１０】
請求項１に係る発明では、ワークを加工する際に発生する切粉や、加工時に用いる切削液が、主軸反対側カバーと主軸側カバーとの間の隙間からタレットの内部に侵入することを防止することが可能となる。
【手続補正３】
【補正対象書類名】明細書
【補正対象項目名】００１８
【補正方法】変更
【補正の内容】
【００１８】
本実施形態においては、背面カバー６２の全周にわたって、正面カバー６１と対向する位置に斜め突起部６７を設けているが、斜め突起部６７を設ける位置としては、背面カバー６２の全周に限定されず、例えば背面カバー６２の上部のみに設けるようにすることもできる。また、背面カバー６２よりも正面カバー６１の方の高さが高くなる場合には、背面カバー６２に設ける代わりに正面カバー６１の背面カバー６２に対向する側に斜め突起部６７を設けるようにすることもできる。
【手続補正４】
【補正対象書類名】特許請求の範囲
【補正対象項目名】全文
【補正方法】変更
【補正の内容】
【特許請求の範囲】
【請求項１】
工具を保持するためのグリップが複数設けられたタレットを備え、
前記タレットを旋回させて、所望の工具を割り出して工作機械の主軸に装着された工具の交換を行う工作機械の工具交換装置であって、
前記タレットの前記工作機械の主軸と対向しない側の面を覆う主軸反対側カバーと、
前記タレットの前記工作機械の主軸と対向する側の面を覆う主軸側カバーと、を備え、
所定位置において、前記主軸反対側カバーと前記主軸側カバーは、隙間を空けて、いずれかが高い位置となるように構成されており、
前記所定位置において、前記主軸反対側カバーと前記主軸側カバーのいずれか高い位置となるカバーの前記所定位置における上面と前記隙間との間に突起部を設けることを特徴とする工具交換装置。